(57)【特許請求の範囲】
【請求項１】
車輪１０を有する自走式の機体１２の長さ途中に位置される左右一対の伝動縦軸４６、４６の各々に前記機体１２の前部に及ぶ下ア−ム５０、５０と前記機体１２の後部に及ぶ上ア−ム４８、４８とを揺動可能に装着し、前記下ア−ム５０、５０の下端部に設けた回転中心軸５４ａ、５４ａに軸装した被動プ−リ５４、５４を前記機体１２から延出した起立板１２０と被支持部材１２３、受け部材１２１等を介して左右方向ｆ１の変位を特定位置で規制し、さらに、前記左右方向ｆ１の逆向きの変位を許容するように変位可能に設け、前記上ア−ム４８、４８の上端部に設けた回転中心軸５２ａに駆動プ−リ５２、５２を軸装して設け、該駆動プ−リ５２、５２と前記被動プ−リ５４、５４とに無端状の搬送ベルト４４、４４を掛け回し、該搬送ベルト４４、４４の対向部分を近接側へ付勢するほか、各搬送ベルト４４、４４の非対向側部分の外側で前記伝動縦軸４６、４６の横方近傍に前記非対向側部分の外面を案内するはみ出し規制ロ−ラ９８、９８を設け、前記機体１２の進行中、これら左右の対向部分により、植立する茎葉部を後斜め上方へ挟持搬送し地中のその根部から分離された状態で前記機体１２の後部へ移動させるように作動する茎葉部挟持搬送装置において、前記各搬送ベルト４４、４４の前方寄り個所の内方側で前記下ア−ム５０、５０の長さ途中に前記搬送ベルト４４、４４の非対向側部分を外方へ張設する支持手段を介してテンションプ−リ９６、９６を設け、該テンションプ−リ９６、９６を前記搬送ベルト４４、４４の非対向側部分ではみ出し規制ロ−ラ９８、９８よりも前方個所を外方へ押圧することを特徴とする農作物処理用移動機の茎葉部挟持搬送装置。
【請求項２】
前記テンションプ−リ９６、９６を回転自在に軸支したア−ム９６２、９６２を前記下ア−ム５０、５０の上面に支持軸９６１、９６１を介して揺動自在に設けるとともに、その下面側に前記搬送ベルト４４、４４の緊張度を変化させる調節ボルト９６４、９６４を螺入する下向き片９６３、９６３を固設し、該下向き片９６３、９６３に前記調節ボルト９６４、９６４を前記搬送ベルト４４、４４の非対向側から螺入して調節ボルト９６４、９６４の先端部を前記下ア−ム５０、５０に当接して前記搬送ベルト４４、４４の緊張度を変化させる前記支持手段を構成したことを特徴とする請求項１記載の農作物処理用移動機の茎葉部挟持搬送装置。
【発明の詳細な説明】
【０００１】
【発明の属する技術分野】
本発明は、じゃがいもや玉葱等を処理する農作物処理用移動機に使用される茎葉部挟持搬送装置に関する。
【０００２】
【従来の技術】
走行機体の長さ途中に位置される左右一対の縦軸の各々に機体前部に及ぶ下ア−ムと機体後部に及ぶ上ア−ムを揺動可能に装着し、各下ア−ムの下端部と各上ア−ムの上端部にプ−リを設け、左右各側の上下で対向したプ−リに無端状搬送ベルトを掛け回し、これら搬送ベルトの対向部分を近接側へ付勢するほか、各搬送ベルトの非対向側部分の外側で前記縦軸の横方近傍にこの非対向側部分の外面を案内するはみ出し規制プ−リを設け、機体の進行中、これら左右の対向部分により、植立する茎葉部を後斜め上方へ挟持搬送し地中のその根部から分離された状態で機体の後部へ移動させるように作動する茎葉部挟持搬送装置は存在している。
【０００３】
この種の搬送装置では、各搬送ベルトを緊張させるためのテンションプ−リは各搬送ベルト毎に、その上ア−ムの上端部近傍に装着されている。
【０００４】
【発明が解決しようとする課題】
上記した従来の茎葉部挟持搬送装置では、左右の搬送ベルトの対向部分によりその搬送終端まで搬送された茎葉部が搬送ベルトに付着する等して上ア−ムの上端部の搬送ベルトの非対向側まで連れ搬送されることがある。
【０００５】
このようになると、連れ搬送された茎葉部の一部がテンションプ−リ及びこれの支持手段に絡み付き、その機能を損ねることが生じる。
従って、作業者は作業を中断してこの絡み付いた茎葉片を時折、取り除くようにする必要があり、作業効率を損ねる要因となっている。
【０００６】
本発明は、上記問題点を解消させて効率的な作業を可能とする茎葉部挟持搬送装置を提供しようとするものである。
【０００７】
【課題を解決するための手段】
上記目的を達成するため、本発明では、車輪１０を有する自走式の機体１２の長さ途中に位置される左右一対の伝動縦軸４６、４６の各々に前記機体１２の前部に及ぶ下ア−ム５０、５０と前記機体１２の後部に及ぶ上ア−ム４８、４８とを揺動可能に装着し、前記下ア−ム５０、５０の下端部に設けた回転中心軸５４ａ、５４ａに軸装した被動プ−リ５４、５４を前記機体１２から延出した起立板１２０と被支持部材１２３、受け部材１２１等を介して左右方向ｆ１の変位を特定位置で規制し、さらに、前記左右方向ｆ１の逆向きの変位を許容するように変位可能に設け、前記上ア−ム４８、４８の上端部に設けた回転中心軸５２ａに駆動プ−リ５２、５２を軸装して設け、該駆動プ−リ５２、５２と前記被動プ−リ５４、５４とに無端状の搬送ベルト４４、４４を掛け回し、該搬送ベルト４４、４４の対向部分を近接側へ付勢するほか、各搬送ベルト４４、４４の非対向側部分の外側で前記伝動縦軸４６、４６の横方近傍に前記非対向側部分の外面を案内するはみ出し規制ロ−ラ９８、９８を設け、前記機体１２の進行中、これら左右の対向部分により、植立する茎葉部を後斜め上方へ挟持搬送し地中のその根部から分離された状態で前記機体１２の後部へ移動させるように作動する茎葉部挟持搬送装置において、前記各搬送ベルト４４、４４の前方寄り個所の内方側で前記下ア−ム５０、５０の長さ途中に前記搬送ベルト４４、４４の非対向側部分を外方へ張設する支持手段を介してテンションプ−リ９６、９６を設け、該テンションプ−リ９６、９６を前記搬送ベルト４４、４４の非対向側部分ではみ出し規制ロ−ラ９８、９８よりも前方個所を外方へ押圧したものである。
【０００８】
このようにすると、左右の搬送ベルトの対向部分によりその搬送終端まで搬送された茎葉部が搬送ベルトに付着する等して上ア−ムの非対向側まで連れ搬送されたとしても、これらの茎葉片が下ア−ムまで達することは通常では起こり得ないため、テンションプ−リやこれの支持手段に茎葉片が絡むことはなくなるのである。
【０００９】
また、請求項２に記載した、前記テンションプ−リ９６、９６を回転自在に軸支したア−ム９６２、９６２を前記下ア−ム５０、５０の上面に支持軸９６１、９６１を介して揺動自在に設けるとともに、その下面側に前記搬送ベルト４４、４４の緊張度を変化させる調節ボルト９６４、９６４を螺入する下向き片９６３、９６３を固設し、該下向き片９６３、９６３に前記調節ボルト９６４、９６４を前記搬送ベルト４４、４４の非対向側から螺入して調節ボルト９６４、９６４の先端部を前記下ア−ム５０、５０に当接して前記搬送ベルト４４、４４の緊張度を変化させる前記支持手段を構成したことにより、連れ搬送された茎葉片がテンションプ−リの支持手段に絡まり難くなると共に植立している茎葉にも接触し難くなってその機能が確実に奏されるものとなる。
【００１０】
【発明の実施の形態】
以下、本発明の一実施例を、図面を参照して説明する。
図１は本発明を実施した茎葉処理機の側面図、図２は要部正面図、図３は斜視図である。
【００１１】
この茎葉処理機は、車輪１０を有する自走式の機体１２に、前部から茎葉部引起こし分草装置１４、茎葉部掻き込み装置１６、根部持上がり規制装置１８、茎葉部挟持搬送装置２０及び茎葉部収集放出装置２２をこの順に装備したものである。
【００１２】
茎葉部引起こし分草装置１４は、機体１２の前部両側に設けられてあって引き抜くべき茎葉部を引き起こすと共に、そうでない隣接の茎葉部と分離させるためのものであり、デバイダ２４とサイドデバイダ２６とからなる。
【００１３】
デバイダ２４は後斜め上方に起立する棒状のものであり、後方にそり状の接地棒２８を有している。
この、接地棒２８の中央部には後斜め上方に起立する取付杆３０が固着されており、この取付杆３０は機体１２の前部に斜め下方へ向けて設けられた取付管３２に位置調整（伸縮）可能に挿入して固定している。
【００１４】
サイドデバイダ２６は、いずれも棒状の前部構成体３４と後部構成体３６とを嵌挿して略Ｌ字形に構成したものであり、前部構成体３４は接地棒２８に、後部構成体３６は取付管３２に各々回動自在に支持されている。
このさい、前部構成体３４と後部構成体３６の支持部の軸芯はほぼ一直線上にあり、各々はスム−ズに回転できるようになっている。
【００１５】
上記サイドデバイダ２６を外側に回動させると、引き抜かない隣接の茎葉部は大きく押しやられるから、茎葉部の絡み付きが少なくなる。
一方、路上走行等の場合は邪魔にならないように上方に回動させておけばよい。
【００１６】
地下茎作物は、通常、畝を形成して植えられるから、畝の高さや地下茎作物の生育状態等によってデバイダ２４の高さを変える必要がある。
この操作は接地棒２８の取付杆３０を取付管３２に対して伸縮して行うが、これを行うと、前部構成体３４も後部構成体３６に対して伸縮させることになり、これら二つの操作を同時に行うことができるのである。
なお、サイドデバイダ２６による茎葉部の分離作用は、最終的な押しやり位置を決定するものである後部構成体３４を単に伸縮させても、後部構成体３６の位置は変わらないから、その位置が予め適正に設定されている限り安定した分離作用が得られる。
【００１７】
茎葉部掻き込み装置１６は、引き抜くべき茎葉部を掻き込んで後続する茎葉部挟持搬送装置２０に送り込むものであり、後倒れの傾斜平面内で前拡後狭状に平面回動させられる左右一対の突起付きベルト３８、３８を備えている。
このさい、左右一対の突起付きベルト３８、３８の突起３８ａ同士は始端では交差しないが、終端になると交差するよう配置され、これによって茎葉部は後方へ掻き込まれる。
【００１８】
根部持上がり規制装置１８は、畝中に地下茎作物の根部を留め置くものであり、畝の頂部付近を転動する左右一対のゲ−ジホイ−ル４０、４０と、茎葉部を後方及び上方へ挿通させる通路ｗを形成するように前後に延伸させた左右二本の案内棒４２ａ、４２ａからなる根部掻き落とし具４２とを備えている。
【００１９】
ゲ−ジホイ−ル４０、４０の押圧力によって、根部は引き抜き力による持ち上がりを規制されて土中に留め置かれ、茎葉部のみが引き抜かれていくが、このとき、茎葉部は根部掻落とし具４２の通路ｗを通って上方に引き上げられるから、仮に茎葉部に根部が付いて来ても、根部掻落とし具４２で根部の芋等を素扱き落とす。
【００２０】
茎葉部挟持搬送装置２０は、茎葉部掻き込み装置１６で掻き込まれた茎葉部を根部掻落とし具４２の通路ｗを通して上方に引き上げ、これを挟やくしながら後続の茎葉部収集放出装置２２へ搬送するものであり、後倒れの傾斜平面内で平面回動させられる無端状の搬送ベルト４４を装着された左右一対の搬送ベルト部４４Ａ、４４Ａで構成される。
【００２１】
図４は搬送ベルト部４４Ａの平面図であるが、各搬送ベルト部４４Ａは、前後方向長さ中央の伝動縦軸４６、４６の回りを回動できるように装着された上ア−ム４８、４８と下ア−ム５０、５０のそれぞれ上下端に各々駆動プ−リ５２と被動プ−リ５４とを取り付け、駆動プ−リ５２と被動プ−リ５４との間に搬送ベルト４４を張り掛けたものである。
【００２２】
このさい、上ア−ム４８は伝動縦軸４６を中心に左右へ比較的大きく回動できるようになされている。
このように搬送ベルト部４４Ａの終端側を左右に振り回しできるようにしたのは、引き抜いた茎葉部を機体の外側位置に移動させ、茎葉部が根部の収穫等の後作業に対し邪魔とならないような位置に放出されるようにするためである。
【００２３】
図５は搬送ベルト部４４Ａ、４４Ａの振り回しのための構成の要部を示す平面図であるが、伝動縦軸４６、４６に外嵌された上側ハウジング５６、５６を回動可能にしてこれに上ア−ム４８、４８を固定する。
そして、一方の上側ハウジング５６にレバ−５８を取り付け、このレバ−５８を回動操作して上ア−ム４８を振り回し、このさいの上ア−ム４８の位置決めは機体１２に固定された係止板６０に形成された左回動位置、中立回動位置、右回動位置の位置決め孔６０にレバ−５８の係止部を挿入するのである。（６２はストッパ）。
【００２４】
一方のハウジング５６からはア−ム６４が突設されており、このア−ム６４と機体に設けられた固定ピン６８との間には円形の付勢スプリング７０が張り掛けられている。
この付勢スプリング７０は上ア−ム４８が左回動位置と右回動位置の何れかの側に来ると弾性支点を超えた状態となり、上ア−ム４８を特定位置に弾力で押圧してその位置を安定的に保持する。
【００２５】
左右二つの上ア−ム４８、４８同士はスプリング７２で引っ張られており、上ア−ム４８の左右回動は一方のもののみの操作により他の上ア−ム４８も連動するようになっている。
なお、このスプリング７２は左右の搬送ベルト４４の対向部分を圧接させるとともに、搬送ベルト４４の離間を許容し、比較的大きい異物等をも通過させる役目も果たす。
【００２６】
左右二つの下ア−ム５０、５０は伝動縦軸４６、４６に回動可能に外嵌された下側ハウジング５６Ａ（図１参照）に上端を固定され、最前部に位置させたスプリング７４、７４（図４参照）で互いに近接する側へ引っ張られるようになされている。
【００２７】
図６は機体左側のスプリング７４の周辺構成を示す平面図、そして図７はこの周辺構造の側面図であるが、左側の取付管３２の先端上面に起立板１２０が固定され、この起立板１２０の内方側面から下ア−ム５０側へ向けて逆Ｕ形断面の受け部材１２１が張り出させてある。
【００２８】
一方、下ア−ム５０の先端に固定され且つ被動プ−リ５４の回転中心軸５４ａを回転自在に支持させたハウジング１２２の外方側面からはＵ形断面の被支持部材１２３が張り出させてあり、この被支持部材１２３は受け部材１２１上に載置されている。
このさい、被支持部材１２３には長孔ｎを形成し、この長孔ｎに受け部材１２１から起立させた結合棒ｍを挿通させ、この結合棒ｍを介して被支持部材１２３と受け部材１２１とを左右変位可能に結合させる。
【００２９】
この、受け部材１２１には前向きの突片１２１ａが固定されており、また、被支持部材１２３の先部前面に前向きの鈎形板１２３ａが設けてあって、突片１２１ａと鈎形板１２３ａとの間にスプリング７４が張り掛けてある。
また、被支持部材１２３の先端に鈎形の規制片１２３ｂが下向きに固着してあり、これにストッパ−手段としてのボルト１２４が螺着されている。
この、ボルト１２４はその先端がスプリング７４の引張力に抗するように起立板１２０の外方面に衝接されており、下ア−ム５０の矢印方向ｆ１の変位を特定位置で規制するが、矢印方向ｆ１の逆向きの変位は許容するようになされている。
なお、１２５はハウジング１２２と同体に固定された支持片で、前記案内棒４２ａの先端を固定するためのものである。
【００３０】
このようなスプリング７４の周辺構成は機体右側のスプリング７４についても対称状に形成されるのであり、従って左右のボルト１２４、１２４の規制作用により左右の搬送ベルト部４４Ａ、４４Ａの先端は適当寸法（これは処理すべき茎の径に関連して決定されるもので、例えば数ｃｍ程度とする。）だけ離れた状態に保持される。
【００３１】
これら、スプリング７４、７４は左右の搬送ベルト４４、４の対向部分を近接させるように作用し、一方では搬送ベルト４４、４４の離間を許容し、搬送ベルト４４、４４間に侵入した比較的大きな異物等であっても前後方向へ通過させる役目も果たす。
【００３２】
左右の搬送ベルト４４、４４はその対向部分を各種のアイドルロ−ラ等によって互いに押圧されるようになっている。
先ず、下ア−ム５０、５０側であるが、一方側の下ア−ム５０には二つの固定したアイドルロ−ラ７６、７６が、そして他方側の下ア−ム５０にはスプリング７８で弾発される二つのアイドルロ−ラ８０が設けられている。
これにより左右の搬送ベルト部４４Ａ、４４Ａの対向部分の最前部には平面視楔形の隙間Ｓが形成されるのである。
このさい、搬送ベルト部４４Ａ、４４Ａの対向部分とは左右の搬送ベルト部４４Ａ、４４Ａの対向した部分であって、被動プ−リ５４の回転中心軸５４ａから駆動プ−リ５２の回転中心軸５２ａまでの範囲をいう。
【００３３】
図８は中央の伝動縦軸４６、４６付近に設けられるアイドルロ−ラ８４、８６を示す要部平面図であるが、伝動縦軸４６、４６の回りを回動できるくの字形のア−ム８２、８２を設け、この、ア−ム８２、８２の両先端にアイドルロ−ラ８４と小ロ−ラ８６とを取り付けたものであり、アイドルロ−ラ８４によって搬送ベルト４４を互いに相手方に押圧し、小ロ−ラ８６で搬送ベルト４４を張っている。
なお、このア−ム８２はスプリング８８でアイドルロ−ラ８４が搬送ベルト４４を押圧する方向に付勢されており、異物等が噛み込んだときには反押圧側に動いてその通過を許容する（９０はそれぞれストッパ）。
【００３４】
さらに図４に示すように上ア−ム４８、４８側には、スプリング７２で弾発されるアイドルロ−ラ９４、９４がそれぞれ一個ずつ設けられて搬送ベルト４４の対向部分を相手方に押圧している。
【００３５】
この他、搬送ベルト４４を内側から張るテンションプ−リ９６と搬送ベルト４４の外側に設けられてはみ出しを防ぐはみ出し規制ロ−ラ９８がそれぞれ一個ずつ設けられている。
【００３６】
右側のテンションプ−リ９６の装着構成は図９に示すように、下ア−ム５０に起立させた支持軸９６１を介してア−ム９６２を揺動可能に装着し、このア−ム９６２の先端にテンションプ−リ９６を回転自在に軸着している。
また、ア−ム９６２の下面に調整ボルト９６４を取り付ける下向き片９６３を固着し、一方、下ア−ム５０の側面には調整ボルト９６４の先端を受け止める当て板９６５を固着して設けている。
そして、搬送ベルト４４の非対向側から下向き片９６３に調整ボルト９６４を螺入して、搬送ベルト４４の緊張度を変化させる支持手段を構成している。
このさい、調節ボルト９６４、９６４を搬送ベルト４４の非対向側部分の内方側に位置させている。
搬送ベルト４４の緊張度を変化させる場合は、調整ボルト９６４を回転操作して操作後はロックナットでロックして固設する構成にしている。
【００３７】
左側のテンションプ−リ９６の装着構成は上記した右側のテンションプ−リ９６の装着構成と対称に配設している。
そして、搬送ベルト４４の緊張度を変化させる場合は、調整ボルト９６４を回転操作して、操作後はロックナットで固設する構成にしている。
【００３８】
以上により、搬送ベルト４４、４４間に石等の異物が噛み込んだとしても、上下ア−ム４８、５０及びアイドルロ−ラ８０、９４が後退し、更に、アイドルロ−ラ８４と小ロ−ラ８６も後退するから、結局、異物は挟やくされた状態で搬送ベルト４４、４４の終端まで搬送されて放出される。
【００３９】
図１０は搬送ベルト４４の断面図であるが、搬送ベルト４４は内側からＶベルト４４ａ、平ベルト４４ｂ、スポンジ４４ｃを順に貼着したものであり、対向する部分のスポンジ４４ｃ同士を圧縮させて茎葉部を狭扼する。
【００４０】
次に、上記突起付きベルト３８及び搬送ベルト４４の駆動構造について説明する。
図１１はその説明図であるが、先ず、一方の伝動縦軸４６の下部にウオームホイール１００を取り付け、これはミッション１０２（図１参照）の動力を自在継ぎ手１０４で導いたウオ−ム１０６で駆動する。
なお、両方の伝動縦軸４６共、その中途には別のスプロケット１０８を取り付け、これらスプロケット１０８、１０８にチェン１１０を掛け回して一方の伝動縦軸４６に伝えられた動力は他方の伝動縦軸４６にも伝達されるようにしておく。
【００４１】
伝動縦軸４６、４６は何れも上ア−ム４８の上方まで突出させてスプロケット１１２を取り付けるとともに、駆動プ−リ５２と同体の回転中心軸５２ａも上方に延ばしてスプロケット１１６を取り付け、両者をチェン１１８で連結する。
これにより、ミッション１０２の動力は伝動縦軸４６から上端の回転中心軸５２ａ、５２ａに伝えられ、搬送ベルト４４、４４は対向部分が上昇する方向に、しかも、全長に亘って引張力で駆動される形態をとる。
また、上ア−ム４８、４８を回動させて左右に振り回した場合も、この動力系はその形態を保ち、搬送ベルト４４、４４の駆動に障害はない。
【００４２】
各搬送ベルト４４の被動プ−リ５４は回転中心軸５４ａと同体となされるが、この回転中心軸５４ａも上方に延長し、これを突起付きベルト３８の駆動軸とする。
この突起付きベルト３８は回転中心軸５４ａと同体の駆動プ−リ１３０とさらに前方へ配設された被動プ−リ１３１とに掛け回すものであるが、このようにすることで、突起付きベルト３８の対向部分は上昇する方向へ駆動されることになる。
【００４３】
茎葉部収集放出装置２２は、茎葉部挟持搬送装置２０で送られて来た茎葉部を所定量溜めて地上に放出するものであり、搬送ベルト４４、４４の後端下方の機体１２に起立、水平、垂下の三姿勢に切り変えられる左右一対の収集シャッタ１２６、１２６を中央の収集台１２８の両側に取り付けたものである。
なお、収集台１２８の後端は上方に膨出させてあり、ここに落下した茎葉部が後方に滑り落ちるのを防止するとともに、エンジンＥ（図３参照）のカバ−を兼用している。
【００４４】
搬送ベルト４４、４４の終端を左右何れかへ振り回した側の収集シャッタ１２６を水平姿勢にしておくと（他側は走行の邪魔にもなるから、起立姿勢にしておく）、搬送ベルト４４、４４で搬送されて来た茎葉部はこの上に落下するから、適宜溜まったところでこれを垂下姿勢に切り変えることで地上に放出できる。
なお、垂下姿勢への切り換えは、レバ−等による手動操作或いは重量等を検出しての自動操作の何れかで行われる。
【００４５】
次に上記のように構成した本発明の処理機を使用してじゃがいもを処理する場合の使用例及び作用を説明する。
【００４６】
畝の両側の溝内に車輪１０、１０を位置させ、図２に示すように茎葉部引起こし分草装置１４、１４及び茎葉部掻き込み装置１６及び根部持ち上がり規制装置１８等を畝を跨いだ状態とする。
そしてゲ−ジホイル４０、４０の機体に対する高さを調整して機体前部を最適高さとし、また茎葉部挟持搬送装置２０の後部を左右何れかの側へ振り回した状態とする。
この後、歩行者が操縦ハンドルｈを持ち、エンジンＥを作動させ、各部を作動状態として機体を前進させる。
【００４７】
機体の進行中、茎葉部引起こし分草装置１４、１４は畝の巾中央に植立したじゃがいもの茎葉部を隣接した畝の茎葉部から分離させ、続いて茎葉部掻き込み装置１６が茎葉部挟持搬送装置２０の左右の搬送ベルト部４４Ａ、４４Ａの中央へ向けて掻き込む。
【００４８】
このように掻き込まれた茎葉部の下部は左右の搬送ベルト部４４Ａ、４４Ａの対向部分の最前部に形成された楔形隙間Ｓ内に進入するものとなる。
隙間Ｓ内に進入した茎葉部は機体の前進に伴って隙間Ｓに対し後方へ移動しながら左右の搬送ベルト４４、４４に徐々に強く当接するようになる。
このさい、搬送ベルト４４、４４は機体の前進速度に概ね合致した速さで駆動され、しかもその駆動方向は機体の前後方向に沿った状態となるのであり、従って隙間Ｓ内の茎葉部は搬送ベルト４４、４４に強く接触しても前倒しされることはないのであり、隙間Ｓの終端では植立姿勢のまま左右の搬送ベルト４４、４４により所要の力で挟持される。
【００４９】
茎葉部挟持搬送装置２０はこのように挟持した茎葉部をその植立姿勢を保持しつつ搬送し、この搬送中に地面から抜き取り、搬送終端まで搬送した後、収集台１２８の上面に落下させる。
このように落下された茎葉部は下部が前側となる前後向き姿勢に変化されて収集台１２８上に集積される。
【００５０】
収集台１２８上に溜められた茎葉部群は機体の進行中に収集シャッタ１２６を垂下操作することにより適当間隔で機体側方に落下させるのであり、このように落下された茎葉部群は後に細断する等して適宜に処理される。
【００５１】
上記処理中に茎葉部挟持搬送装置２０の左右の搬送ベルト４４、４４の対向部分でその搬送終端まで搬送された茎葉部が搬送ベルト４４に付着する等して駆動プ−リ５２周辺の搬送ベルト４４の非対向側部分まで連れ搬送されることがある。
このように連れ搬送された茎葉片は殆どの場合はみ出し規制ロ−ラ９８に達するまでに自然に落下するものとなる。
なお、搬送ベルト４４に付着しやすい作物の場合はスクレ−パを設けることにより、それら茎葉片は確実に掻き落とされる。
【００５２】
搬送ベルト４４が弛緩したときはテンションプ−リ９６を左右向きの外方へ移動させるが、この場合、搬送ベルト４４ははみ出し規制ロ−ラ９８と被動プ−リ５４の間で外方へ張り出されるだけで、駆動プ−リ５２と、はみ出しロ−ラ９８の間での張り状態を変化されることはない。
従って、搬送ベルト４４と駆動プ−リ５２の接触範囲はテンションプ−リ９６の位置変化に拘わらず常に同一に保持されるのであり、搬送ベルト４４は駆動プ−リ５２から安定した駆動力を付与されるものとなる。
【００５３】
上記実施例では根部の損傷を防止するため茎葉部を地面から抜き取って地面から分離させるようにしたが、これに代えて、茎葉部の下端部を切刃で切り離すことにより地面から分離させるようにすることも可能である。
【００５４】
発明は上記した茎葉処理機に限らず、広い範囲の農作物処理機に利用できるのであり、例えば甘藷の芋蔓処理機とか、玉葱や人参の収穫機等にも使用されるものである。
【００５５】
【発明の効果】
請求項１においては、即ち、車輪１０を有する自走式の機体１２の長さ途中に位置される左右一対の伝動縦軸４６、４６の各々に前記機体１２の前部に及ぶ下ア−ム５０、５０と前記機体１２の後部に及ぶ上ア−ム４８、４８とを揺動可能に装着し、前記下ア−ム５０、５０の下端部に設けた回転中心軸５４ａ、５４ａに軸装した被動プ−リ５４、５４を前記機体１２から延出した起立板１２０と被支持部材１２３、受け部材１２１等を介して左右方向ｆ１の変位を特定位置で規制し、さらに、前記左右方向ｆ１の逆向きの変位を許容するように変位可能に設け、前記上ア−ム４８、４８の上端部に設けた回転中心軸５２ａに駆動プ−リ５２、５２を軸装して設け、該駆動プ−リ５２、５２と前記被動プ−リ５４、５４とに無端状の搬送ベルト４４、４４を掛け回し、該搬送ベルト４４、４４の対向部分を近接側へ付勢するほか、各搬送ベルト４４、４４の非対向側部分の外側で前記伝動縦軸４６、４６の横方近傍に前記非対向側部分の外面を案内するはみ出し規制ロ−ラ９８、９８を設け、前記機体１２の進行中、これら左右の対向部分により、植立する茎葉部を後斜め上方へ挟持搬送し地中のその根部から分離された状態で前記機体１２の後部へ移動させるように作動する茎葉部挟持搬送装置において、前記各搬送ベルト４４、４４の前方寄り個所の内方側で前記下ア−ム５０、５０の長さ途中に前記搬送ベルト４４、４４の非対向側部分を外方へ張設する支持手段を介してテンションプ−リ９６、９６を設け、該テンションプ−リ９６、９６を前記搬送ベルト４４、４４の非対向側部分ではみ出し規制ロ−ラ９８、９８よりも前方個所を外方へ押圧することにより、搬送ベルトで搬送された茎葉部がテンションプ−リやその支持手段等に絡み付くのを防止でき、これにより従来の無駄な手間が解消されて作業効率が向上するのである。
また、じゃがいもや人参などの茎葉部を処理するのに適したものとなり、また上ア−ムの上端部に装着されたプ−リを駆動プ−リとして搬送ベルトを作動させる場合に、搬送ベルトは、テンションプ−リの位置の変化に拘わらず、駆動プ−リに常に同一の状態で接触し、駆動プ−リの回転力を安定的に伝達されるものとなる。
【００５６】
請求項２によれば、前記テンションプ−リ９６、９６を回転自在に軸支したア−ム９６２、９６２を前記下ア−ム５０、５０の上面に支持軸９６１、９６１を介して揺動自在に設けるとともに、その下面側に前記搬送ベルト４４、４４の緊張度を変化させる調節ボルト９６４、９６４を螺入する下向き片９６３、９６３を固設し、該下向き片９６３、９６３に前記調節ボルト９６４、９６４を前記搬送ベルト４４、４４の非対向側から螺入して調節ボルト９６４、９６４の先端部を前記下ア−ム５０、５０に当接して前記搬送ベルト４４、４４の緊張度を変化させる前記支持手段を構成したことにより、搬送ベルトで搬送された後にこれに連れ搬送された茎葉部がテンションロ−ラの支持手段に絡み付くことが防止され、また植立している茎葉部にテンションロ−ラやその案内手段が干渉し難くなって、これらの茎葉部の絡み付きによりその機能を害されることを防止されるようになる。
【００５７】
【図面の簡単な説明】
【図１】    本発明を実施した茎葉処理機の側面図である。
【図２】    上記茎葉処理の要部正面図である。
【図３】    上記茎葉処理機の斜視図である。
【図４】    搬送ベルト部の平面図である。
【図５】    搬送ベルト部の一部平面図である。
【図６】    搬送ベルト部の先部の平面図である。
【図７】    搬送ベルト部の先部の側面図である。
【図８】    搬送ベルト部の中央部の平面図である。
【図９】    右側のテンションプ−リの装着構成を示す正面図である。
【図１０】  搬送ベルトの断面図である。
【図１１】  茎葉部掻き込み装置と茎葉部挟持搬送装置の駆動系を示す説明図である。
【符号の説明】
１０    車輪
１２    機体
２０    茎葉部挟持搬送装置
４４    搬送ベルト
４６    伝動縦軸
４８    上ア−ム
５０    下ア−ム
５２    駆動プ−リ
５２ａ  回転中心軸
５４    被動プ−リ
５４ａ  回転中心軸
９６    テンションプ−リ
９８    はみ出し規制ロ−ラ
１２０  起立板
１２１  受け部材
１２３  被支持部材
９６１  支持軸
９６２  ア−ム
９６３  下向き片
９６４  調節ボルト
ｆ１    左右方向
【図１】
0003868088.tif 000002
【図２】
0003868088.tif 000003
【図３】
0003868088.tif 000004
【図４】
0003868088.tif 000005
【図５】
0003868088.tif 000006
【図６】
0003868088.tif 000007
【図７】
0003868088.tif 000008
【図８】
0003868088.tif 000009
【図９】
0003868088.tif 000010
【図１０】
0003868088.tif 000011
【図１１】
0003868088.tif 000012